(57)【要約】【課題】無線送受信ＲＦ部が多素子アレイアンテナを介してＲＦ信号をモジュールの外部に送信するときに、複数のＲＦ信号経路におけるＲＦ特性のばらつきを校正する校正信号処理部が定格電力を超えるＲＦ信号を受信することを防止することができるモジュールを提供する。【解決手段】モジュールが備える校正信号処理部は、多素子アレイアンテナとＮ個の無線送受信ＲＦ部との間の複数のＲＦ信号経路におけるＲＦ特性のばらつきを校正する処理部であって、前記Ｎ個の無線送受信ＲＦ部が前記多素子アレイアンテナからＲＦ信号を送信するときに、前記Ｎ個の無線送受信ＲＦ部のそれぞれから自処理部に伝播されるそれぞれのＲＦ信号の最大電力の総和よりも低い電力の最大定格を有する。前記モジュールが備えるＮ個の配線は、前記Ｎ個の無線送受信ＲＦ部と前記校正信号処理部との間を並列につなぎ、それぞれの電気長が互いに異なるＮ個の導体から成る。【選択図】図１
2017228953.tif 000002
【特許請求の範囲】
【請求項１】
多素子アレイアンテナとＮ個の無線送受信ＲＦ部との間の複数のＲＦ信号経路におけるＲＦ特性のばらつきを校正する処理部であって、前記Ｎ個の無線送受信ＲＦ部が前記多素子アレイアンテナからＲＦ信号を送信するときに、前記Ｎ個の無線送受信ＲＦ部のそれぞれから自処理部に伝播されるそれぞれのＲＦ信号の最大電力の総和よりも低い電力の最大定格を有する校正信号処理部と、
前記Ｎ個の無線送受信ＲＦ部と前記校正信号処理部との間を並列につなぎ、それぞれの電気長が互いに異なるＮ個の導体から成るＮ個の配線と、
を備えるモジュール。
【請求項２】
前記Ｎ個の導体のうちの１個の電気長は、
基準となる電気長であり、
前記Ｎ個の導体のうちの前記１個を除く導体の電気長のそれぞれは、
２πを前記Ｎで除算し、前記除算の結果に１から（Ｎ−１）までのそれぞれの整数を乗算した位相に相当する電気長のそれぞれと前記基準となる電気長とを加算したそれぞれの電気長である、
請求項１に記載のモジュール。
【請求項３】
前記Ｎ個の導体のうちの１個の電気長は、
基準となる電気長であり、
前記Ｎ個の導体のうちの前記１個を除く導体の電気長のそれぞれは、
２πを前記Ｎで除算し、前記除算の結果に１から（Ｎ−１）までのそれぞれの整数を乗算した位相に相当する電気長のそれぞれを前記基準となる電気長から減算したそれぞれの電気長である、
請求項１に記載のモジュール。
【請求項４】
前記多素子アレイアンテナは、Ｎ個のアンテナを備え、
前記校正信号処理部は、
前記多素子アレイアンテナとＮ個の無線送受信ＲＦ部との間のＮ個のＲＦ信号経路におけるＲＦ特性のばらつきを校正する、
請求項１から請求項３の何れか一項に記載のモジュール。
【請求項５】
Ｎ個の無線送受信ＲＦ部と校正信号処理部との間を並列につなぎ、それぞれの電気長が互いに異なるＮ個の導体から成るＮ個の配線を介して、校正信号処理部へＲＦ信号を伝播させ、
前記校正信号処理部は、多素子アレイアンテナとＮ個の無線送受信ＲＦ部との間の複数のＲＦ信号経路におけるＲＦ特性のばらつきを校正する処理部であって、前記Ｎ個の無線送受信ＲＦ部が前記多素子アレイアンテナからＲＦ信号を送信するときに、前記Ｎ個の無線送受信ＲＦ部のそれぞれから自処理部に伝播されるそれぞれのＲＦ信号の最大電力の総和よりも低い電力の最大定格を有する、ＲＦ信号伝播方法。
【発明の詳細な説明】
【技術分野】
【０００１】
本発明は、モジュール及びＲＦ信号伝播方法に関する。
【背景技術】
【０００２】
携帯電話用基地局無線装置において、多素子アレイアンテナに設けられたアンテナと、そのアンテナに接続された無線送受信ＲＦ部とをアレイアンテナシステムとして動作させるためには、それぞれのアンテナとそれぞれのアンテナに接続された無線送受信ＲＦ部とから成るＲＦ信号経路のそれぞれの間のＲＦ特性のばらつきを校正する必要がある。
特許文献１〜３には、関連する技術として、ＲＦ信号経路における特性を校正する技術が記載されている。
【先行技術文献】
【特許文献】
【０００３】
【特許文献１】特開２００１−２６７９９０号公報
【特許文献２】特開２００３−０９２５０８号公報
【特許文献３】特開２０１０−２１３２１７号公報
【発明の概要】
【発明が解決しようとする課題】
【０００４】
ところで、近年、多素子アレイアンテナを備える新しいタイプの携帯電話用基地局無線装置のコンセプトが５Ｇ−ＬＴＥ（５−Ｇｅｎｅｒａｔｉｏｎ  Ｌｏｎｇ  Ｔｅｒｍ  Ｅｖｏｌｕｔｉｏｎ）用に各社で開発されている。携帯電話用基地局無線装置における無線送受信ＲＦ部のそれぞれは、ＲＦ信号経路のそれぞれの間のＲＦ特性のばらつきを校正するために、その校正の信号処理を行う校正信号処理部に接続された校正信号用入出力ポートを備えている。校正信号用入出力ポートは、校正対象のＲＦ信号経路とは別の校正用信号線路を介して校正信号処理部に接続される。校正用信号経路は、校正時に入力された校正信号が伝播する経路である。携帯電話用基地局無線装置が通常のＲＦ信号を送信する場合には、そのＲＦ信号は、校正用信号経路を介して校正信号処理部に伝播する。したがって、校正信号処理部は、携帯電話用基地局無線装置が通常のＲＦ信号を送信するときに、ほぼ同期したＲＦ信号のすべてを受信する可能性がある。そして、校正信号処理部がほぼ同期したＲＦ信号のすべてを受信したときの最大電力は、校正信号処理部自身の定格電力を超える可能性がある。
そこで、無線送受信ＲＦ部が多素子アレイアンテナを介してＲＦ信号をモジュールの外部に送信するときに、複数のＲＦ信号経路におけるＲＦ特性のばらつきを校正する校正信号処理部が定格電力を超えるＲＦ信号を受信することを防止することのできる技術が求められていた。
【０００５】
本発明は、上記の課題を解決することのできるモジュール及びＲＦ信号伝播方法を提供することを目的としている。
【課題を解決するための手段】
【０００６】
上記目的を達成するために、本発明は、多素子アレイアンテナとＮ個の無線送受信ＲＦ部との間の複数のＲＦ信号経路におけるＲＦ特性のばらつきを校正する処理部であって、前記Ｎ個の無線送受信ＲＦ部が前記多素子アレイアンテナからＲＦ信号を送信するときに、前記Ｎ個の無線送受信ＲＦ部のそれぞれから自処理部に伝播されるそれぞれのＲＦ信号の最大電力の総和よりも低い電力の最大定格を有する校正信号処理部と、前記Ｎ個の無線送受信ＲＦ部と前記校正信号処理部との間を並列につなぎ、それぞれの電気長が互いに異なるＮ個の導体から成るＮ個の配線と、を備えるモジュールである。
【０００７】
また、本発明は、Ｎ個の無線送受信ＲＦ部と校正信号処理部との間を並列につなぎ、それぞれの電気長が互いに異なるＮ個の導体から成るＮ個の配線を介して、校正信号処理部へＲＦ信号を伝播させ、前記校正信号処理部は、多素子アレイアンテナとＮ個の無線送受信ＲＦ部との間の複数のＲＦ信号経路におけるＲＦ特性のばらつきを校正する処理部であって、前記Ｎ個の無線送受信ＲＦ部が前記多素子アレイアンテナからＲＦ信号を送信するときに、前記Ｎ個の無線送受信ＲＦ部のそれぞれから自処理部に伝播されるそれぞれのＲＦ信号の最大電力の総和よりも低い電力の最大定格を有する、ＲＦ信号伝播方法である。
【発明の効果】
【０００８】
本発明によれば、無線送受信ＲＦ部が多素子アレイアンテナを介してＲＦ信号をモジュールの外部に送信するときに、複数のＲＦ信号経路におけるＲＦ特性のばらつきを校正する校正信号処理部が定格電力を超えるＲＦ信号を受信することを防止することができる。
【図面の簡単な説明】
【０００９】
【図１】本発明の第一の実施形態によるモジュールの最小構成を示す図である。
【図２】本発明の第二の実施形態によるモジュールの構成を示す図である。
【図３】本発明の第二の実施形態による無線送受信ＲＦ部の構成を示す図である。
【図４】本発明の第二の実施形態において配線のそれぞれの電気長が同一であると仮定した場合のＲＦ信号を示す図である。
【図５】本発明の第二の実施形態において配線のそれぞれの電気長が互いに異なる場合のＲＦ信号を示す図である。
【発明を実施するための形態】
【００１０】
＜第一の実施形態＞
以下、図面を参照しながら実施形態について詳しく説明する。
本発明の第一の実施形態によるモジュールの構成について説明する。
本発明の第一の実施形態によるモジュールは、本発明の最小構成のモジュールである。
【００１１】
モジュール１は、図１に示すように、校正信号処理部１０、配線２０ａ１、配線２０ａ２、・・・、配線２０ａＮ、を備える。
以下、配線２０ａ１、２０ａ２、・・・、２０ａＮを総称して、配線２０と呼ぶ。
【００１２】
校正信号処理部１０は、多素子アレイアンテナとＮ個の無線送受信ＲＦ部との間の複数のＲＦ信号経路におけるＲＦ特性のばらつきを校正する。
校正信号処理部１０は、Ｎ個の無線送受信ＲＦ部が多素子アレイアンテナからＲＦ信号を送信するときに、Ｎ個の無線送受信ＲＦ部のそれぞれから校正信号処理部１０自身に伝播されるそれぞれのＲＦ信号の最大電力の総和よりも低い電力の最大定格を有する。
なお、図１では、多素子アレイアンテナは無線送受信ＲＦ部の外部に示されているが、無線送受信ＲＦ部のそれぞれは、多素子アレイアンテナが備える複数のアンテナのうちの１つを含んでいる。
【００１３】
配線２０ａ１は、第１の無線送受信ＲＦ部と校正信号処理部１０とをつなぐ導体である。
配線２０ａ２は、第２の無線送受信ＲＦ部と校正信号処理部１０とをつなぐ導体である。
同様に、配線２０ａＮは、第Ｎの無線送受信ＲＦ部と校正信号処理部１０とをつなぐ導体である。
配線２０のそれぞれは、互いに異なる電気長を有する導体である。
配線２０のそれぞれは、複数の無線送受信ＲＦ部と校正信号処理部１０との間を並列につないでいる。
【００１４】
以上のように、本発明の第一の実施形態によるモジュール１は、複数の無線送受信ＲＦ部と校正信号処理部１０との間を並列につなぐ複数の導体のそれぞれの電気長が互いに異なる配線２０、を備える。
このようにすれば、モジュール１において、配線２０のそれぞれを伝播するＲＦ信号は、互いに異なる位相となる。そのため、無線送受信ＲＦ部が多素子アレイアンテナを介してＲＦ信号をモジュールの外部に送信するときに、複数のＲＦ信号経路におけるＲＦ特性のばらつきを校正する校正信号処理部１０が定格電力を超えるＲＦ信号を受信することを防止することができる。
【００１５】
＜第二の実施形態＞
本発明の第二の実施形態によるモジュールの構成について説明する。
なお、多素子アレイアンテナ４０が４つのアンテナを備える場合を例に本発明の第二の実施形態によるモジュール１の構成について説明する。
本発明の第二の実施形態によるモジュール１は、図２に示すように、校正信号処理部１０、配線２０ａ１、２０ａ２、２０ａ３、２０ａ４、無線送受信ＲＦ部３０ａ１、３０ａ２、３０ａ３、３０ａ４、多素子アレイアンテナ４０、校正信号用入出力ポート５０ａ１、５０ａ２、５０ａ３、５０ａ４、校正信号用合成・分配器６０、を備える。
以下、無線送受信ＲＦ部３０ａ１、３０ａ２、３０ａ３、３０ａ４を総称して、無線送受信ＲＦ部３０と呼ぶ。
以下、校正信号用入出力ポート５０ａ１、５０ａ２、５０ａ３、５０ａ４を総称して、校正信号用入出力ポート５０と呼ぶ。
【００１６】
多素子アレイアンテナ４０は、アンテナ４００ａ１、４００ａ２、４００ａ３、４００ａ４、を備える。
以下、アンテナ４００ａ１、４００ａ２、４００ａ３、４００ａ４を総称して、アンテナ４００と呼ぶ。
【００１７】
アンテナ４００ａ１は、無線送受信ＲＦ部３０ａ１に対応する。
アンテナ４００ａ２は、無線送受信ＲＦ部３０ａ２に対応する。
アンテナ４００ａ３は、無線送受信ＲＦ部３０ａ３に対応する。
アンテナ４００ａ４は、無線送受信ＲＦ部３０ａ４に対応する。
【００１８】
無線送受信ＲＦ部３０のそれぞれは、図３に示すように、送信信号処理部３０１、送信ＲＦ部３０２、受信ＲＦ部３０３、受信信号処理部３０４、ＳＰＤＴ（Ｓｉｎｇｌｅ  Ｐｏｌｅ、Ｄｏｕｂｌｅ  Ｔｈｒｏｗ）スイッチ３０５、校正信号用カプラ３０６、アンテナ４００、を備える。
【００１９】
送信信号処理部３０１は、図示していないベースバンド信号処理部から入力したベースバンド信号を変調してＲＦ信号を生成する。
また、送信信号処理部３０１は、図２に示すＲＦ信号経路Ｒａ１、Ｒａ２、Ｒａ３、Ｒａ４におけるＲＦ特性のばらつきを校正するときの基準となる校正信号を生成する。
【００２０】
送信ＲＦ部３０２は、アンテナ４００を介して、送信信号処理部３０１が生成したＲＦ信号をモジュール１の外部に送信する。
また、送信ＲＦ部３０２は、校正信号用カプラ３０６を介して、送信信号処理部３０１が生成したＲＦ信号を校正信号用入出力ポート５０に送信する。
【００２１】
受信ＲＦ部３０３は、アンテナ４００を介して、モジュール１の外部から送信されたＲＦ信号を受信する。
【００２２】
受信信号処理部３０４は、受信ＲＦ部３０３が受信したＲＦ信号を復調してベースバンド信号を生成する。
【００２３】
ＳＰＤＴスイッチ３０５は、校正信号用カプラ３０６を送信ＲＦ部３０２または受信ＲＦ部３０３に接続させる。
【００２４】
校正信号用カプラ３０６は、校正信号用カプラ３０６自身を伝播する信号に対応する校正信号またはＲＦ信号を校正信号用入出力ポート５０に出力する。
【００２５】
校正信号用合成・分配器６０は、無線送受信ＲＦ部３０のそれぞれに対応する校正信号用入出力ポート５０のそれぞれから校正信号またはＲＦ信号を受信する。
校正信号用合成・分配器６０は、受信した校正信号またはＲＦ信号のすべてを加算する。
校正信号用合成・分配器６０は、加算した校正信号またはＲＦ信号を校正信号処理部１０に出力する。
【００２６】
校正信号処理部１０は、複数のＲＦ信号経路におけるＲＦ特性のばらつきを校正する信号処理を行う。
ここで、無線送受信ＲＦ部３０のそれぞれが多素子アレイアンテナ４０を介してＲＦ信号をモジュール１の外部に送信するときに、多素子アレイアンテナ４０におけるアンテナの数に応じた複数のＲＦ信号経路のそれぞれを伝播するＲＦ信号が校正信号処理部１０において同期したと仮定する。
具体的には、例えば図２に示すように、多素子アレイアンテナ４０がアンテナ４００ａ１、４００ａ２、４００ａ３、４００ａ４の４つを備える場合に、図２に示す配線２０のそれぞれの電気長が同一であり、図４に示すようにＲＦ信号が同期して校正信号用合成・分配器６０に伝播したと仮定する。この場合、校正信号用合成・分配器６０は、同期して伝播されたＲＦ信号のそれぞれを加算したＲＦ信号を生成する。校正信号用合成・分配器６０は、加算したＲＦ信号を校正信号処理部１０に出力する。
校正信号処理部１０は、加算され最大振幅となるＲＦ信号を校正信号用合成・分配器６０から受信する。しかしながら、校正信号処理部１０の電力の最大定格は、加算され最大振幅となるＲＦ信号を校正信号用合成・分配器６０から受信したときの最大電力よりも低い値の最大定格である。そのため、校正信号処理部１０は、複数のＲＦ信号経路のそれぞれを伝播するＲＦ信号が校正信号処理部１０において同期した場合には、同期して伝播されたＲＦ信号のそれぞれが加算され最大振幅となるＲＦ信号を校正信号用合成・分配器６０から受信すると不具合が生じる。したがって、校正信号処理部１０は、実際には、同期して伝播されたＲＦ信号のそれぞれが加算され最大振幅となるＲＦ信号を校正信号用合成・分配器６０から受信することができない。
【００２７】
本発明の第二の実施形態によるモジュール１の処理について説明する。
本発明の第二の実施形態によるモジュール１では、実際には、複数のＲＦ信号経路のそれぞれを伝播するＲＦ信号が校正信号処理部１０において同期しないように、配線２０のそれぞれを互いに異なる電気長を有する導体とする。
例えば、配線２０のうちの１つである配線２０ａ１の電気長Ｌ１を、基準となる電気長とする。また、配線２０のうちの基準である電気長Ｌ１を除く配線２０ａ２の電気長Ｌ２、配線２０ａ３の電気長Ｌ３、配線２０ａ４の電気長Ｌ４のそれぞれは、２πを配線の総数Ｎで除算し、除算の結果に１から（Ｎ−１）までのそれぞれの整数を乗算した位相に相当する電気長のそれぞれと基準となる電気長Ｌ１とを加算したそれぞれの電気長とする。
具体的には、図２で示したモジュール１の場合、配線２０ａ１の電気長Ｌ１を基準にする。そして、（２π／Ｎ）＝（２π／４）＝９０度に「１」を乗算した位相（９０度）に相当する電気長ΔＬ９０と基準となる電気長Ｌ１とを加算して、配線２０ａ２の電気長Ｌ２を配線２０ａ１の電気長Ｌ１よりも電気長ΔＬ９０だけ長い配線にする。その結果、図５（Ｂ）に示すように、配線２０ａ２を伝播するＲＦ信号は、配線２０ａ１を伝播するＲＦ信号に比べて位相が９０度遅れたＲＦ信号となる。同様に、配線２０ａ１の電気長Ｌ１を基準にする。そして、（２π／４）＝９０度に「２」を乗算した位相（１８０度）に相当する電気長ΔＬ１８０と基準となる電気長Ｌ１とを加算して、配線２０ａ３の電気長Ｌ３を配線２０ａ１の電気長Ｌ１よりも電気長ΔＬ１８０だけ長い配線にする。その結果、図５（Ｃ）に示すように、配線２０ａ３を伝播するＲＦ信号は、配線２０ａ１を伝播するＲＦ信号に比べて位相が１８０度遅れたＲＦ信号となる。また、同様に、配線２０ａ１の電気長Ｌ１を基準にする。そして、（２π／４）＝９０度に「３」（（配線の総数Ｎ）−１）を乗算した位相（２７０度）に相当する電気長ΔＬ２７０と基準となる電気長Ｌ１とを加算して、配線２０ａ４の電気長Ｌ４を配線２０ａ１の電気長Ｌ１よりも電気長ΔＬ２７０だけ長い配線にする。その結果、図５（Ｄ）に示すように、配線２０ａ４を伝播するＲＦ信号は、配線２０ａ１を伝播するＲＦ信号に比べて位相が２７０度遅れたＲＦ信号となる。
また、具体的には、図２で示したモジュール１の場合、配線２０ａ１の電気長Ｌ１を基準にする。そして、（２π／４）＝９０度に「１」を乗算した位相（９０度）に相当する電気長ΔＬ９０を基準となる電気長Ｌ１から減算して、配線２０ａ２の電気長Ｌ２を配線２０ａ１の電気長Ｌ１よりも電気長ΔＬ９０だけ短い配線にする。その結果、配線２０ａ２を伝播するＲＦ信号は、配線２０ａ１を伝播するＲＦ信号に比べて位相が９０度進んだＲＦ信号となる。同様に、配線２０ａ１の電気長Ｌ１を基準にする。そして、（２π／４）＝９０度に「２」を乗算した位相（１８０度）に相当する電気長ΔＬ１８０を基準となる電気長Ｌ１から減算して、配線２０ａ３の電気長Ｌ３を配線２０ａ１の電気長Ｌ１よりも電気長ΔＬ１８０だけ短い配線にする。その結果、配線２０ａ３を伝播するＲＦ信号は、配線２０ａ１を伝播するＲＦ信号に比べて位相が１８０度進んだＲＦ信号となる。また、同様に、配線２０ａ１の電気長Ｌ１を基準にする。そして、（２π／４）＝９０度に「３」（（配線の総数Ｎ）−１）を乗算した位相（２７０度）に相当する電気長ΔＬ２７０を基準となる電気長Ｌ１から減算して、配線２０ａ４の電気長Ｌ４を配線２０ａ１の電気長Ｌ１よりも電気長ΔＬ２７０だけ短い配線にする。その結果、配線２０ａ４を伝播するＲＦ信号は、配線２０ａ１を伝播するＲＦ信号に比べて位相が２７０度進んだＲＦ信号となる。
このように、配線２０のそれぞれの電気長を互いに異なる電気長とし、配線２０のそれぞれを伝播するＲＦ信号の位相を互いに異なる位相とする。こうすることにより、配線２０のそれぞれを伝播するＲＦ信号が校正信号処理部１０において最大振幅となるタイミングがずれる。その結果、配線２０のそれぞれの電気長を互いに異なる電気長とした場合に校正信号処理部１０が受信する最大振幅は、配線２０のそれぞれを伝播するＲＦ信号が校正信号処理部１０において同期した場合に受信する最大振幅に比べて小さくなる。
【００２８】
以上、本発明の第二の実施形態によるモジュール１について説明した。本発明の第二の実施形態によるモジュール１は、複数の無線送受信ＲＦ部と校正信号処理部１０との間を並列につなぐ複数の導体のそれぞれの電気長が互いに異なる配線２０、を備える。
例えば、配線２０のうちの１つである配線２０ａ１の電気長Ｌ１は、基準となる電気長とする。また、配線２０のうちの基準である電気長Ｌ１を除く配線２０ａ２の電気長Ｌ２、配線２０ａ３の電気長Ｌ３、配線２０ａ４の電気長Ｌ４のそれぞれを、２πを配線の総数Ｎで除算し、除算の結果に１から（Ｎ−１）までのそれぞれの整数を乗算した位相に相当する電気長のそれぞれと基準となる電気長Ｌ１とを加算したそれぞれの電気長とする。
また、例えば、配線２０のうちの１つである配線２０ａ１の電気長Ｌ１は、基準となる電気長とする。また、配線２０のうちの基準である電気長Ｌ１を除く配線２０ａ２の電気長Ｌ２、配線２０ａ３の電気長Ｌ３、配線２０ａ４の電気長Ｌ４のそれぞれを、２πを配線の総数Ｎで除算し、除算の結果に１から（Ｎ−１）までのそれぞれの整数を乗算した位相に相当する電気長のそれぞれを基準となる電気長Ｌ１から減算したそれぞれの電気長とする。
このようにすれば、モジュール１において、配線２０のそれぞれを伝播するＲＦ信号は、互いに異なる位相となる。そのため、無線送受信ＲＦ部が多素子アレイアンテナを介してＲＦ信号をモジュールの外部に送信するときに、複数のＲＦ信号経路におけるＲＦ特性のばらつきを校正する校正信号処理部１０が定格電力を超えるＲＦ信号を受信することを防止することができる。
【００２９】
なお、本発明の第二の実施形態では、配線の総数Ｎ（したがって、無線送受信ＲＦ部３０の総数Ｎ）が「４」の場合を例にモジュール１の処理を説明したが、配線の総数Ｎは「４」に限定しない。本発明の第二の実施形態における配線の総数Ｎは、任意の数であってよい。
例えば、配線の総数Ｎが「２」の場合、一方の配線を基準にし、他方の配線の電気長を１８０度の位相に相当する電気長の分だけ長くまたは短くする。
【００３０】
なお、本発明の実施形態における処理は、適切な処理が行われる範囲において、処理の順番が入れ替わってもよい。
【００３１】
なお、配線２０の総数Ｎが偶数２Ｍの場合には配線２０の総数Ｎの半数Ｍ、また、配線の総数Ｎが奇数（２Ｍ＋１）の場合には、配線２０をＭ個と（Ｍ＋１）個に分ける。Ｍ個の配線２０または（Ｍ＋１）の配線２０に反転アンプを設け、反転アンプを設けたＭ個の配線２０または（Ｍ＋１）個の配線２０におけるＲＦ信号の位相を１８０度ずらす。こうすることにより、校正信号処理部１０が受信するＲＦ信号の信号振幅を打ち消し合ってもよい。
【００３２】
なお、本発明の第二の実施形態では、多素子アレイアンテナ４０は、Ｎ個のアンテナ４００を備える場合を例にモジュール１の処理を説明したが、多素子アレイアンテナ４０は、Ｎ個のアンテナ４００を備える場合に限定しない。本発明の第二の実施形態における多素子アレイアンテナ４０は、無線送受信ＲＦ部３０の総数Ｎ以上であれば任意の数であってよい。
例えば、多素子アレイアンテナ４０は、２Ｎ個のアンテナ４００を備える。そして、無線送受信ＲＦ部３０のそれぞれは、２個のアンテナ４００に接続されてもよい。
【００３３】
本発明のいくつかの実施形態を説明したが、これらの実施形態は、例であり、発明の範囲を限定しない。これらの実施形態は、発明の要旨を逸脱しない範囲で、追加、種々の省略、置き換え、変更を行ってよい。
【符号の説明】
【００３４】
１・・・モジュール
１０・・・校正信号処理部
２０、２０ａ１、２０ａ２、２０ａ３、２０ａ４、２０ａＮ・・・配線
３０、３０ａ１、３０ａ２、３０ａ３、３０ａ４、３０ａＮ・・・無線送受信ＲＦ部
４０・・・多素子アレイアンテナ
５０、５０ａ１、５０ａ２、５０ａ３、５０ａ４・・・校正信号用ＲＦ配線
６０・・・校正信号用合成・分配器
３０１・・・送信信号処理部
３０２・・・送信ＲＦ部
３０３・・・受信ＲＦ部
３０４・・・受信信号処理部
３０５・・・ＳＰＤＴ（Ｓｉｎｇｌｅ  Ｐｏｌｅ、Ｄｏｕｂｌｅ  Ｔｈｒｏｗ）スイッチ
３０６・・・校正信号用カプラ
４００、４００ａ１、４００ａ２、４００ａ３、４００ａ４・・・アンテナ
【図１】
2017228953.tif 000003
【図２】
2017228953.tif 000004
【図３】
2017228953.tif 000005
【図４】
2017228953.tif 000006
【図５】
2017228953.tif 000007